(57)【要約】 【課題】  従来の衣桁や衣桁の代品は、基台や三脚支柱があるために、これらが置けるだけの面積が必要となり、従って一般家庭が壁面などを利用して着物の後姿を部屋の装飾としてインテリア的に飾るには適していない。さらに、これらを利用した場合基台などの存在により、着物は壁面にくっつけて飾ることはできないので、飾った着物が壁の一部をなすようにはならない。あたかも、タピストリーを壁面に飾るように着物の後姿を壁面に飾るためには、着物が壁面と間隔をおくことなく飾られるようにする必要がある。【解決手段】  吊り下げフックが配設されている上部横棹材と、両端部に襟止め挟み具を配設してある下部横棹材が、接続材により連結してあり、また下部横棹材の長さを調節可能とし、あるいは接続材の長さを調節可能とし、さらに襟止め挟み具は、クリップと長さ調節可能な紐状材から構成した。【選択図】        図１
2006110141.tif 000002
【特許請求の範囲】
【請求項１】
吊り下げフックが配設されている上横棹材と、両端部に襟止め挟み具を配設してある下横棹材が、接続材により連結してあることを特徴とする着物後姿インテリア用ハンガー。
【請求項２】
下横棹材の長さを調節可能とした請求項１記載の着物後姿インテリア用ハンガー。
【請求項３】
接続材の長さを調節可能とした請求項１記載の着物後姿インテリア用ハンガー。
【請求項４】
襟止め挟み具は、クリップと長さ調節可能な紐状材から構成した請求項１記載の着物後姿インテリア用ハンガー。
【発明の詳細な説明】
【技術分野】
【０００１】
この発明は、着物をインテリアとして飾り、その後姿を眺め楽しむことができるハンガーに関するものであり、特に一般家庭など飾る場所に制限があるような場合でも、壁面を利用して場所をとることなく広げた着物の後姿を美しく飾ることができるようにしたものである。
【背景技術】
【０００２】
従来から、着物の後姿を飾る道具としては衣桁がある。しかし、衣桁は床に置いて使用するために下部に大きな基台を有しており、着物を飾るためには広い面積を占めてしまうことになる。また、大きく重いので収納や移動も不便であり、現代の一般家庭で使用するには適さないものとなっている。
【０００３】
また、衣桁に代わるものとして実開平６−９５４９号公報に示されるように衣桁を小型化して展開つっぱり棒により衣裳を広げられるようにしたものや、実用新案登録第３０３７７６３号に示されるように張り桟部材により着物の胴部と裾部を拡開するようにしたものが提案されている。また、展示を目的とせずに収納のために着物を単に掛けて下げておくハンガーとしては実用新案登録第３０４４２５０号がある。
【特許文献１】実開昭６３−９５８７０号
【特許文献２】実用新案登録第３０３７７６３号
【特許文献３】実開平６−９５４９号
【特許文献４】実用新案登録第３０４４２５０号
【発明の開示】
【発明が解決しようとする課題】
【０００４】
しかし実開平６−９５４９号公報や実用新案登録第３０３７７６３号公報は何れも衣桁と同じように床に置いて使用するものであり、主に着物の展示会や店頭などで使用することを目的としており、設置に大きな場所を必要とする。すなわち、着物自体は広げてしまえばほとんど平面となるが、基台や三脚支柱があるために、これらが置けるだけの面積が必要となり、従って一般家庭が壁面などを利用して着物の後姿を部屋の装飾としてインテリア的に飾るには適していなかった。
【０００５】
さらに、これらを利用した場合基台などの存在により、着物は壁面にくっつけて飾ることはできないので、飾った着物が壁の一部をなすようにはならない。あたかも、タピストリーを壁面に飾るように着物の後姿を壁面に飾るためには、着物が壁面と間隔をおくことなく飾られるようにする必要がある。
【課題を解決するための手段】
【０００６】
そこで、この発明にかかる着物後姿インテリア用ハンガーは前記課題を解決するために、吊り下げフックが配設されている上横棹材と、両端部に襟止め挟み具を配設してある下横棹材が、接続材により連結してあり（請求項１）、また下横棹材の長さを調節可能とし（請求項２）、あるいは接続材の長さを調節可能とし（請求項３）、さらに襟止め挟み具は、クリップと長さ調節可能な紐状材から構成した（請求項４）ものである。
【発明の効果】
【０００７】
着ないで箪笥の中に眠っている着物を本発明に係る着物後姿用ハンガーに掛けて吊すだけで、室内装飾用の素材として簡単に活用することができる。ひいては、着物の美の再発見にも役立つものであり、着物を着る習慣がない外国人も自宅で着物の持つ美を楽しむことができる。
【０００８】
また、下横棹材や接続材や襟止め挟み具の長さを調節可能にしておくと、着物の大小に適合させて、その着物の後姿が最も美しく表現される位置で襟先（前襟下部）を広げて止めることができる。なお、吊り下げフックの長さも調節可能としておくと、着物を壁面に対して丁度よい高さに吊り下げて飾ることができる。
【発明を実施するための最良の形態】
【０００９】
吊り下げフックを配設した上横棹材と、両端部に襟止め挟み具を配設した下横棹材を、接続材により連結し、下横棹材の長さを調節可能とし、接続材の長さを調節可能とし、さらに襟止め挟み具はクリップと長さ調節可能な紐状材から構成する。
【実施例】
【００１０】
次に、本発明にかかる着物後姿インテリア用ハンガーの一実施例を図１に基づいて説明する。１は着物の両袖を通して着物を吊すための棒状の上横棹材であり、中央から両端に向けて伸縮可能となっており、任意の長さで固定可能な構造となっている。上横棹材１の中央部分の伸縮しない箇所に約１０〜２０ｃｍ程度の間隔をおいてフック取り付け用の紐２が左右対称に二本配設してあり、この二本の紐２には合わせるようにして吊り下げフック３が取り付けてある。なお、紐２はその長さを調節可能としておいてもよい。また、紐２の上横棹材１への取付間隔を調整可能としておいてもよい。着物の大きさなどに応じて襟立ての具合を調節できる。
【００１１】
４は着物の両前襟を広げるための棒状の下横棹材であり、上横棹材１と同様に中央から両端に向けて伸縮可能となっており、任意の長さで固定可能な構造となっている。下横棹材４の両端部には飾り房５が取り付けてあり、その若干内側に襟止め挟み具６が配設してある。襟止め挟み具６は、クリップ７と長さ調節可能な紐状材８から構成してある。そして、クリップ７の先端から下横棹材４の取り付け部までを５ｃｍ〜１０ｃｍ程度にしておくと、着物の襟先をクリップ７で挟んで広げた時に襟止め挟み具６が下横棹材４とほぼ平行となり着物が形よく広がる。
【００１２】
また、襟止め挟み具６は紐状材８を介さずに下横棹材４の端部に配設してもよい。そして、その場合にはクリップ形状のものでもよく、あるいは下横棹材４の端部に襟止め用の挟持部を形成したものであってもよい。すなわち、襟止め挟み具６は襟先を下横棹材４の端部に直接又は端部付近で止める機能を有すればどのようなものであってもよい。
【００１３】
なお、上横棹材１と下横棹材４は丸棒であっても、あるいは断面任意の多角形の角棒でもどちらでもよい。また、その材質も合成樹脂製でも金属製でもどちらでもよい。さらに、下横棹材４は使用時に着物がきれいに広がった状態を保持させるために、ある程度の重量（数百ｇ〜数ｋｇ）を有していてもよい。丸棒の方が棒の向きを考慮せずに使用することができるが、角棒の方が着物をセットした後に棒が勝手に回ってしまうことがなく使用場所によっては安定がよい。
【００１４】
９は上横棹材１と下横棹材４を連結している二組の接続材である。接続材９は可撓性の平型のベルト１０とベルト１０の一端に取り付けた長さ調整用のバックル１１により構成してある。上横棹材１の中央部分の伸縮しない箇所でフック取り付け用の紐２の外側にはベルト１０の位置規制用の門型のベルト通し１２が配設してある。また、下横棹材４にも上横棹材１のベルト通し１２の位置に対応させて、上横棹材１のベルト通し１２にベルト１０を通した場合に二本のベルト１０が平行となる位置に同様に門型のベルト通し１２が配設してある。そして、二本のベルト１０はそれぞれ上横棹材１と下横棹材４のベルト通し１２を通し、ベルト１０の先端をバックル１１に通して長さを調整できるようにしてある。
【００１５】
なお、接続材９は、可撓性を有さない例えば合成樹脂製や金属製の長さ調整可能な板や棒であってもよい。ベルト１０と比べ収納時に小さく畳むことはできないかも知れないが、使用時においては上横棹材１と下横棹材４の距離が固定されるので、着物を広げ易くなる場合もある。
【００１６】
また本発明は、上横棹材１と下横棹材４と接続材９をそれぞれ個別の部品としたものを組み立てるのではなく、上横棹材１と下横棹材４と接続材９が合成樹脂などにより一体構造となっていても成立する。そして、望ましくはあらゆる種類と大きさの着物に適合させるために、上横棹材１や下横棹材４や接続材９に相当する箇所の長さが調節可能であればなおよい。
【００１７】
次に、上記した着物後姿インテリア用ハンガーの使用方法を図２に基づいて説明する。着物の両袖を上横棹材１に通し、まず着物の前側が正面（外側）を向くようにフック３を鴨居１３やあるいは長押や壁などに引っ掛けて両袖を伸ばして着物を吊り下げる。また、上横棹材１はその両端が両袖から出ない程度にその長さを調節する。
【００１８】
次に接続材９のベルト１０の長さを調節し、下横棹材４が着物の前襟下部より若干上に位置するようにする。そして、下横棹材９も取りあえず上横棹材１と同じ位の長さに調節し、襟止め挟み具６のクリップ７で着物の襟先（前襟下部）を挟み着物を広げるようにする。
【００１９】
そうしたら、着物を反転させ着物の背側が正面（外側）を向くようにし、後姿が鑑賞できるようにする。そして、下横棹材４の長さを調節し、着物の後姿が最も適切に見ることができるように着物の広がりを調節する。また、必要があれば襟止め挟み具６の紐状材８の長さも調節する。
【産業上の利用可能性】
【００２０】
一般家庭において壁面を着物の後姿で飾るのに使用することに限らず、従来の衣桁やその他の衣桁代用品に代え、展示会場や店頭などでも使用することができる。また、上横棹材や下横棹材を伸縮可能としておけば、コンパクトに収納することができ、大量の保管や運搬にも適する。
【図面の簡単な説明】
【００２１】
【図１】本発明の着物後姿インテリア用ハンガーの正面図である。
【図２】図１の着物後姿インテリア用ハンガーに着物を掛け、着物の後姿が飾られるようにした使用状態を示す正面図である。
【符号の説明】
【００２２】
１  上横棹材
２  紐
３  吊り下げフック
４  下横棹材
５  飾り房
６  襟止め挟み具
７  クリップ
８  紐状材
９  接続材
１０  ベルト
１１  バックル
１２  ベルト通し
１３  鴨居
【図１】
2006110141.tif 000003
【図２】
2006110141.tif 000004